(57)【要約】【課題】簡単、スピーディに剥離紙上に貼られたラベルを剥す事ができ、軽量・低コストのラベル剥し器を提供すること。【解決手段】剥離紙上に貼られた多数のラベルを乗せてラベルの端部から剥す剥し台２を有するラベル剥し器である。少なくとも剥し台２の表面層はスポンジなどのクッション部材４より成り、かつクッション部材４の表面は上方に凸の面を為す様に形成（例えば円筒面）されている。【選択図】図１
2017202931.tif 000002
【特許請求の範囲】
【請求項１】
剥離紙上に貼られたラベルを乗せてラベルの端部から剥す剥し台を有するラベル剥し器であり、少なくとも剥し台の表面層はスポンジ、繊維生地ブラシなどのクッション性を有するクッション部材より成り、かつ前記クッション部材の表面は上方に凸の面を為す様に形成された事を特徴とするラベル剥し器。
【請求項２】
剥離紙上に貼られたラベルを乗せてラベルの端部から剥す剥し台を有するラベル剥し器であり、少なくとも剥し台の頂部の表面層はスポンジ繊維生地、ブラシなどのクッション性を有するクッション部材より成り、かつ前記剥し台は頂部と側面部より成り、この側面部はラベルを指で側面部方向に押す事によってラベルを曲げる役割を果す事を特徴とするラベル剥し器。
【発明の詳細な説明】
【技術分野】
【０００１】本発明は剥離紙上に貼られた多数のラベルを簡単・かつスピーディに剥せる低コストのラベル剥し器に関するものである。
【背景技術】
【０００２】一般に剥離紙上に貼られた多数のラベルを剥す方法としては、１枚１枚のラベルを指を巧みに使って剥す方法があるが、ラベルは剥離紙にピタリと貼り付けられており、なかなか難かしくイライラが募り、熟練が必要である。他の方法としては専用の機械装置によって剥す方法があるが、モーター駆動の為に高価であり、かつ重く装置を働らかせる為の準備が面倒で使わずに倉庫に眠っている事が多い。
【発明の開示】
【発明が解決しようとする課題】
【０００３】本発明の目的は、剥離紙上に貼られた多数のラベルを簡単にかつスピーディに剥せるラベル剥し器を提供することであり、軽量・低価格のラベル剥し器を提供する事にある。
【課題を解決する為の手段】
【０００４】本発明は上記目的を達成する為、剥離紙上に貼られたラベルを乗せてラベルの端部から剥す剥し台を有するラベル剥し器を用いるが、第１の発明では少なくとも剥し台の表面層はスポンジなどのクッション性を有するクッション部材により成り、かつ前記クッション部材の表面は上方に凸の面を為す様に形成されたラベル剥し器を用い、第２の発明では少なくとも剥し台の頂部の表面層はスポンジなどのクッション性を有するクッション部材より成り、かつ前記剥し台は頂部と側面部より成り、この側面部はラベルを指で側面部方向に押す事によってラベルを曲げる役割を果すラベル剥し器を用いる様にしている。
【発明の効果】
【０００５】本発明によれば剥し台の表面層がスポンジなどのクッション性を有するクッション部材により成り、前記第１の発明ではクッション部材の表面が円筒面の様な上方に凸の面により形成されているので、剥し台にラベルを貼った剥離紙を乗せて親指と人差し指を軽く押し付けるとラベルの剥し初め端部直下の剥離紙（この部分が最も薄い部分で折れ易い）に折り目ができ（又はでき易い状態となる）、更に親指（人差し指の時もある）でラベルの剥し初め端部近くを押圧するとこの部分が凹み、加えて人差し指（親指の時もある）をラベルの剥し初め端部へ向かって擦り動かすと、それに連られて剥離紙が寄って来る事によって前記ラベルの剥し初め端部直下の剥離紙に折り目ができ、これによりラベルの剥し初め端部が少し浮き上るので、これを人差し指（親指の時もある）で掬い取る様すれば容易にラベルを剥す事ができる。かつスピーディに剥す事ができる。加えて構造が極めて簡単であり、軽量・低コストである。
第２の発明でも容易にラベルを剥す事ができ、軽量・低コストなラベル剥し器を提供できる。
【発明を実施する為の形態】
【０００６】図１（イ）は本発明によるラベル剥し器を示し、剥離紙上に貼られたラベルを乗せてラベルの端部から剥すものである。１は剥し台２を有する基礎板であり、剥し台２を倒れにくくするなどの役割を果すが、必要不可欠なものではない。剥し台２は少なくともその表面層はスポンジ、繊維生地（厚さ１ｃｍ位）などのクッション性を有するクッション部材４より成り、かつクッション部材４の表面は上方に凸の面（例えば円筒面）を為す様に形成されている。剥し台２はその全てがクッション部材４により形成されていても良いが、図では補強の為に芯体３を有する（芯体３は必要不可欠なものではない）。尚、クッション部材４は図１（ロ）の様にブラシ５により形成しても良い（ブラシ５の表面は全体的に見て上方に凸の面を為す様に形成されている）。次に使い方を説明するがラベルは通常図２の様に剥離紙の上に多数貼られており、この場合、図２（イ）の様に各ラベルが切り目により切り離されているタイプと図２（ロ）の様に僅かな間隔を保って各ラベルが貼られているタイプとがあり、本発明では前者を用いて説明する。
又、剥し台２を有する基礎板１は作業者の右側又は左側に置く場合があるが、一般には作業者の正面に置くので、これで説明する。先ず、図３（イ）の様に多数のラベルが貼られた剥離紙９の一列目と２列目のラベル間の切り目（図２参照）を剥し台２の頂部に配置し（正確に配置しなくても良く、頂部と思われる位置に配置）。右手利きの場合を例に採ると（ラベルは右端側から順次剥していくものとする）、左手で剥離紙を動かぬ様に押えつつ右手の親指をラベルの剥し初め端部１０の手前かつその近くに置き、人差し指をラベルの剥し初め端部１０の向こう側かつその近くに置くと、図３（ロ）の拡大断面の様に剥し台２の表面が円筒面状なので剥離紙はそれに沿って曲がろうとし、最も薄い部分（切り目のある部分）、即ちラベルの剥し初め端部１０直下の剥離紙の部分に折り目ができるか、でき易い状態となる。続いて置いた親指を押圧すると図３（ロ）の様にその部分が凹み、これにより前記折り目ができ、ラベルの剥し初め端部１０が少し浮き上るか、それに近い状態となる。
そして人差し指をラベルの剥し初め端部１０に向かって擦り動かすと、それに連られて剥離紙が寄って来てラベルの剥し初め端部１０直下の剥離紙の部分に完全に折り目ができ、ラベルの剥し初め端部１０が浮き上り、これを人差し指で掬い取る様にするとラベルを剥し取る事ができる（ラベルは手前に引いて剥し取る）。以上の場合、ラベルはその角部から剥し取る様にする。１列目のラベルを１列目と２列目のラベル間にある剥し初め端部１０から剥す理由は、一列目のラベルは剥離紙の手前側端部１０′からでは剥せない為である。１列目のラベルを全て剥し終ったら２列目のラベルを剥す事になるが、今度は図３（ハ）の様に人差し指でラベルの剥し初め端部１１の近くを押圧し、親指でラベルの剥し初め端部１１から剥し取ってゆくとやり易い（ラベルは向こう側へ引いて剥す）。この場合、図示の如く適当な重量を有するクリップ１２を挟んで剥離紙を動かぬ様にしておけば剥離紙を左手で押えて固定する必要はない。従って、片手でラベルを剥せる（クリップ１２の代りに単なる重りを乗せて固定しても良い）。
３列目のラベルを剥す時は、そのラベルの剥し初め端部を剥し台２の頂部まで引いて（剥離紙を引く事により）図３（ハ）と同様にラベルを剥してゆく。
４列目のラベルも同様に剥してゆく。もし剥し台２の円筒面を大きくすれば、１列目から３列目までのラベルをこの剥し台２の上に乗せる事ができるから、１列目から３列目までのラベルを剥し終るまで剥離紙を引く必要はなく、４列目のラベルを剥す時になって初めて剥離紙を引いて動かせば良い。
尚、図３（イ）において剥離紙９を左手で押圧して固定する場合、図１（ハ）の如く剥し台２に隣接して形成された押え台６に剥離紙９を押し付ける様にするとやり易い。この場合、押え台６に剥離紙を置いた時、左手で押圧して固定する代りにクリップ１２を重りとして置いても良く、かつこの場合、クリップ１２の代りに単なる重りでも良い。
同様に図３（ハ）において剥離紙を固定する場合、クリップ１２を用いずに図１（ハ）の如く押え台６′を形成してこれに左手により剥離紙を押し付ける様にしても良い。更には図３（ハ）のクリップ１２を剥離紙９の向こう側端部に重りとして挟んでおけば（単なる重りとして置いておいても良いが）剥離紙９を左手で押す必要はない（このクリップ１２は１列目のラベルが全て剥がし終ったら取り外して図３（ハ）の如く取り付ける）。
図３（ニ）は図３（イ）において１列目のラベルを剥す時、剥離紙９を固定する為に左手で押え付ける方法に依らずに回動可能な重り１３によって押え台６との間に挟んで固定するものである。
【０００７】図１（ニ）に示す本発明によるラベル剥し器は剥し台７を有し、少なくとも剥し台７の頂部の表面層はスポンジ、繊維生地、ブラシなどのクッション性を有するクッション部材８′より成り、かつ剥し台７は頂部と側面部７′より成り、この側面部７′はラベルを指で側面部方向に押す事によってラベルを曲げる役割を果している。剥し台７は全てがクッション部材により成っていても良いが、芯体８を備えて補強している。
これを使う場合は、図３（イ）と同様に１列目と２列目のラベル間の切り目を図３（ホ）の様に（断面を示している）剥し台７の上に乗せ、図示の如く親指でラベルを側面部７′の方へ押すと共に人差し指を剥し台７の頂部に置くとラベル、即ち剥離紙が曲ってラベルの剥し初め端部１０直下の剥離紙の部分に折り目ができ、これによってラベルの剥し初め端部１０が少し浮き上り、かくして人差し指を擦り動かすとラベルの剥し初め端部１０を掬い取る様にして１列目のラベルを剥す事ができる。２列目のラベルは人差し指でラベルを側面部７′（右側の側面部）の方へ押し、親指でラベルを剥し取るとやり易い。３列目のラベル以降も同様に剥し取る。
【０００８】尚、図３（イ）の１列目のラベルを剥す時、図２（イ）においてＡ−Ａ′線に少し折り目を付けておくと非常に剥し易くなる。又、図３（イ）において剥し台２の半径を大きくしてゆくと遂には１列目から４列目までのラベルを剥離紙９を移動する事なく剥し取る事ができる（３列目、４列目のラベルを剥す時、その都度剥離紙９を引き動かす必要がない）。
但し、少々剥しにくくなるので、注意を要する。
【図面の簡単な説明】
【０００９】
【図１】本発明によるラベル剥し器を示す図。
【図２】ラベルが貼られた剥離紙を示す図。
【図３】本発明の使用方法を示す図。
【符号の説明】１は基礎板、２・７は剥し台、３・８は芯体、４・５・８′はクッション部材、６・６′は押え台、９は剥離紙、１０・１１はラベルの剥し初め端部、１０′は剥離紙の手前側端部、７′は側面部、１２はクリップ、１３は重りである。
【図１】
2017202931.tif 000003
【図２】
2017202931.tif 000004
【図３】
2017202931.tif 000005